(57)【要約】【課題】複数又は一の蓄電デバイスを備える蓄電モジュールにおいて、蓄電デバイスの外装体からガス流路に放出されたガスがガス流路から蓄電デバイス側に逆流することを抑制する。【解決手段】電極ユニット２０と、上側部材３１と下側部材３２との外周縁部が相互に接合されることで封止部３３が形成された外装体３０とを備える蓄電デバイス１０と、複数の蓄電デバイス１０を収容する収容体８とを備える蓄電モジュール１であって、収容体８は、封止部３３の易開放部が形成された長辺封止部３３３が挿通されたスリット６４が形成され、スリット６４を通して長辺封止部３３３が挿入された空間を画成するガス流路画成部６０と、ガス流路画成部６０にスリット６４を塞ぐように設けられ、長辺封止部３３３に対して撓んだ状態で当接した、可撓性部材で構成された仕切り部６１０とを備える。【選択図】図５
2018195745.tif 000002
【特許請求の範囲】
【請求項１】
絶縁層を挟んだ状態で相互に重なり合った正極板と負極板とを備える電極ユニットと、
前記電極ユニットを挟んだ状態で設けられた２枚または１枚の外装フィルムを備え、前記外装フィルムの相互に重なり合った外周縁部が相互に接合されることで前記正極板および前記負極板の周縁に沿って延びる封止部が形成された外装体と
を備え、前記封止部の一辺の少なくとも一部に、前記封止部の他部位と比較して前記外装体の内圧により開放され易い易開放部が形成された複数または一の蓄電デバイスと、
前記複数または一の蓄電デバイスを収容する収容体と
を備える蓄電モジュールであって、
前記収容体は、
前記封止部の前記一辺が挿通されたスリットが形成され、前記スリットを通して前記封止部の前記一辺が挿入された空間を画成するガス流路画成部と、
前記ガス流路画成部に前記スリットを塞ぐように設けられ、前記封止部の前記一辺に対して撓んだ状態で当接した仕切り部と
を備える蓄電モジュール。
【請求項２】
請求項１に記載の蓄電モジュールであって、
前記易開放部は、前記封止部の他部位と比較して剥離強度が低いことにより、前記封止部の他部位と比較して前記外装体の内圧により開放され易い蓄電モジュール。
【請求項３】
請求項１又は２に記載の蓄電モジュールであって、
前記収容体は、複数の前記蓄電デバイスを積層した状態で支持する複数の支持部材を備え、
前記支持部材は、それぞれ、前記ガス流路画成部と前記仕切り部とを備える蓄電モジュール。
【請求項４】
請求項１又は２に記載の蓄電モジュールであって、
前記収容体は、
複数の前記蓄電デバイスを積層した状態で支持する複数の支持部材と、
複数の前記スリットが形成された前記ガス流路画成部と、複数の前記仕切り部とを備え、前記複数の支持部材と一体化されたガス流路ユニットと
を備える蓄電モジュール。
【請求項５】
請求項１〜４の何れか１項に記載の蓄電モジュールであって、
前記仕切り部は、前記封止部の前記一辺をその厚み方向に挟むように設けられた一対のシール部材を備える蓄電モジュール。
【請求項６】
請求項１〜４の何れか１項に記載の蓄電モジュールであって、
前記仕切り部は、前記封止部の前記一辺をその厚み方向に向かって前記スリットの縁部に押圧するように設けられた一のシール部材を備える蓄電モジュール。
【発明の詳細な説明】
【技術分野】
【０００１】
本発明は、蓄電モジュールに関するものである。
【背景技術】
【０００２】
蓄電デバイスとして、正極、負極、および電解液が収容された外装体を有する蓄電セルと、蓄電セルを挟持するセルケースを含み、外装体が、セルケースによって挟持される第１部分と、外装体内のガスを放出させる安全弁となる第２部分とを有し、セルケースが、第２部分から放出されたガスを排出するための排出経路を有し、排出経路が、外装体の外周に沿って延在しているものが知られている（例えば、特許文献１参照）。
【先行技術文献】
【特許文献】
【０００３】
【特許文献１】特開２０１２−２３０９６２号公報
【発明の概要】
【発明が解決しようとする課題】
【０００４】
特許文献１に記載の蓄電デバイスでは、第２部分から放出されたガスが、排出経路に放出されたとしても、第２部分と排出経路との間に設けられた連通孔を通じて排出経路から蓄電セル側に逆流し、蓄電デバイス内に滞留したり、排出経路を経由せずに蓄電デバイス外に漏洩したりするおそれがある。
【０００５】
本発明が解決しようとする課題は、複数又は一の蓄電デバイスを備える蓄電モジュールにおいて、蓄電デバイスの外装体からガス流路に放出されたガスがガス流路から蓄電デバイス側に逆流することを抑制できる蓄電モジュールを提供することである。
【課題を解決するための手段】
【０００６】
［１］本発明に係る蓄電モジュールは、絶縁層を挟んだ状態で相互に重なり合った正極板と負極板とを備える電極ユニットと、前記電極ユニットを挟んだ状態で設けられた２枚または１枚の外装フィルムを備え、前記外装フィルムの相互に重なり合った外周縁部が相互に接合されることで前記正極板および前記負極板の周縁に沿って延びる封止部が形成された外装体とを備え、前記封止部の一辺の少なくとも一部に、前記封止部の他部位と比較して前記外装体の内圧により開放され易い易開放部が形成された複数または一の蓄電デバイスと、前記複数または一の蓄電デバイスを収容する収容体とを備える蓄電モジュールであって、前記収容体は、前記封止部の前記一辺が挿通されたスリットが形成され、前記スリットを通して前記封止部の前記一辺が挿入された空間を画成するガス流路画成部と、前記ガス流路画成部に前記スリットを塞ぐように設けられ、前記封止部の前記一辺に対して撓んだ状態で当接した仕切り部とを備える。
【０００７】
［２］上記発明において、前記易開放部は、前記封止部の他部位と比較して剥離強度が低いことにより、前記封止部の他部位と比較して前記外装体の内圧により開放され易くてもよい。
【０００８】
［３］上記発明において、前記収容体は、複数の前記蓄電デバイスを積層した状態で支持する複数の支持部材を備え、前記支持部材は、それぞれ、前記ガス流路画成部と前記仕切り部とを備えてもよい。
【０００９】
［４］上記発明において、前記収容体は、複数の前記蓄電デバイスを積層した状態で支持する複数の支持部材と、複数の前記スリットが形成された前記ガス流路画成部と、複数の前記仕切り部とを備え、前記複数の支持部材と一体化されたガス流路ユニットとを備えてもよい。
【００１０】
［５］上記発明において、前記仕切り部は、前記封止部の前記一辺をその厚み方向に挟むように設けられた一対のシール部材を備えてもよい。
【００１１】
［６］上記発明において、前記仕切り部は、前記封止部の前記一辺をその厚み方向に向かって前記スリットの縁部に押圧するように設けられた一のシール部材を備えてもよい。
【発明の効果】
【００１２】
本発明では、複数又は一の蓄電デバイスを備える蓄電モジュールにおいて、易開放部が設けられた外装体の一辺が挿通されるスリットを、仕切り部により閉塞できることにより、蓄電デバイスの外装体からガス流路に放出されたガスがガス流路から蓄電デバイス側に逆流することを抑制できる。
【図面の簡単な説明】
【００１３】
【図１】図１は、本発明の実施形態における蓄電モジュールが備える蓄電デバイスを示す平面図である。
【図２】図２は、図１のII-II線に沿った断面図である。
【図３】図３は、本発明の実施形態における蓄電モジュールを示す斜視図である。
【図４】図４は、本発明の実施形態における蓄電モジュールが備える支持部材を示す斜視図である。
【図５】図５は、本発明の実施形態における蓄電モジュールを示す分解斜視図である。
【図６】図６は、本発明の実施形態における蓄電モジュールの等価回路図である。
【図７】図７は、ガス流路画成部および一方の長辺封止部を示す断面図である。
【図８】図８は、他の実施形態に係る仕切り部を示す斜視図である。
【図９】図９は、他の実施形態に係るガス流路画成部を示す断面図である。
【図１０】図１０は、他の実施形態に係るガス流路画成部を示す断面図である。
【図１１】図１１は、他の実施形態に係る蓄電モジュールを示す斜視図である。
【発明を実施するための形態】
【００１４】
以下、本発明の実施形態を図面に基づいて説明する。
【００１５】
図１は、本実施形態に係る蓄電デバイス１０を示す平面図であり、図２は、図１のII-II断面図である。これらの図に示す蓄電デバイス１０は、ラミネート型のリチウムイオンキャパシタであり、電極ユニット２０と、電極ユニット２０を収容する外装体３０と、電極ユニット２０に電気的に接続された正極端子４０および負極端子５０とを備えている。
【００１６】
本実施形態における電極ユニット２０は、複数の正極板２１と、複数の負極板２２と、複数のセパレータ２３とを備えている。正極板２１と負極板２２は、セパレータ２３を介して交互に積層されている。なお、電極ユニット２０を構成する正極板２１、負極板２２、およびセパレータ２３の枚数は特に限定されない。
【００１７】
正極板２１は、正極集電体２１１と、当該正極集電体２１１の両面に設けられた正極活物質層２１２とを備えている。なお、最上段の正極板２１については、正極集電体２１１の下面のみに正極活物質層２１２が設けられていてもよい。
【００１８】
正極板２１の正極集電体２１１は、多数の貫通孔を有する箔状の部材である。この正極集電体２１１は、エキスパンドメタル、パンチングメタル、エッチング箔等で構成されている。また、この正極集電体２１１を構成する材料としては、アルミニウムやステンレス等の金属材料を用いることができ、本実施形態では、アルミニウムを用いている。
【００１９】
正極板２１の正極活物質層２１２は、正極活物質等を正極集電体２１１の表面に塗布等により付着させることで形成されている。正極活物質層２１２が含有する正極活物質としては、電解液中のカチオン、アニオンの吸着により電気二重層を形成可能であり、高比表面積で電気化学的に安定な材料を用いることができる。特に限定されるものではないが、例えば、正極活物質層２１２が含有する正極活物質として活性炭粉末を例示できる。なお、正極活物質層２１２は、必要に応じて、導電材、バインダ等を含有してもよい。
【００２０】
負極板２２は、負極集電体２２１と、当該負極集電体２２１の両面に設けられた負極活物質層２２２とを備えている。なお、最下段の負極板２２については、負極集電体２２１の上面のみに負極活物質層２２２が設けられていてもよい。
【００２１】
負極板２２の負極集電体２２１は、上述の正極集電体２１１と同様に、多数の貫通孔を有する箔状の部材である。この負極集電体２２１は、エキスパンドメタル、パンチングメタル、エッチング箔等で構成されている。また、この負極集電体２２１を構成する金属材料としては、銅、ステンレス、ニッケル等を用いることができ、本実施形態では、銅を用いている。
【００２２】
負極板２２の負極活物質層２２２は、負極活物質等を負極集電体２２１の表面に塗布等により付着させることで形成されている。負極活物質層２２２が含有する負極活物質としては、リチウムイオンを可逆的に担持することが可能であれば特に限定されないが、例えば、グラファイト、種々の炭素材料、ポリアセン系の導電性高分子、錫酸化物、珪素酸化物等を例示できる。なお、負極活物質層２２２は、必要に応じて、導電材、バインダ等を含有してもよい。
【００２３】
セパレータ２３は、電解液、正極活物質、負極活物質等に対して耐久性があり、連通孔を有するが電子伝導性のない多孔体から構成されている。このセパレータは、具体的には、セルロース、ポリエチレン等から形成される不織布や微多孔膜などから構成されている。このセパレータ２３には電解液が含浸されている。電解液は、通常液体であってセパレータ２３に含浸されるが、漏液を防止するためにゲル状又は固体状にして用いてもよく、この場合には、セパレータ２３を省略してもよい。
【００２４】
電解液を構成する溶媒としては、非プロトン性有機溶媒を用いることが好ましい。この非プロトン性有機溶媒としては、例えば、エチレンカーボネート、プロピレンカーボネート、ジメチルカーボネート、ジエチルカーボネート、エチルメチルカーボネート、γ−ブチロラクトン、アセトニトリル、ジメトキシエタン、テトラヒドロフラン、ジオキソラン、塩化メチレン、スルホラン等を例示することができる。また、これら非プロトン性有機溶媒の二種以上を混合した混合液を用いてもよい。
【００２５】
また、上記の溶媒に溶解させる電解質としては、リチウムイオンを生成し得る電解質であれば、任意の材料を用いることができる。このような電解質としては、例えば、ＬｉＩ、ＬｉＣｌＯ４、ＬｉＡｓＦ６、ＬｉＢＦ４、ＬｉＰＦ６、ＬｉＦＳＩ、ＬｉＴＦＳＩ等を例示することができる。
【００２６】
さらに、本実施形態における電極ユニット２０は、リチウム供給源として、蓄電デバイス１０の内部に、リチウム極集電体２４２上に設けられたリチウム極２４１を備えている。リチウム極２４１は、リチウム極集電体２４２の上面に圧着された金属箔又は金属板から構成されている。このリチウム極２４１は、少なくともリチウムを含有し、リチウムイオンを供給することのできる材料から構成されている。このリチウム極２４１を構成する具体的な材料としては、例えば、リチウム、リチウム−アルミニウム合金等を例示することができる。リチウム極集電体２４２は、銅、ステンレスからなる薄板、薄箔や、ステンレスメッシュ、銅エキスパンドメタル等の導電性多孔体から構成されている。リチウム極２４１は、セパレータ２３を介して最下段の負極活物質層２２２に積層されている。
【００２７】
本実施形態では、リチウム極２４１およびリチウム極集電体２４２が負極の一部を構成している。すなわち、後述するように、リチウム極集電体２４２は負極端子５０に接続されており、負極活物質にリチウムを担持させることが可能となっている。リチウムを負極にスムーズに担持させるために、リチウム極２４１およびリチウム極集電体２４２を、セパレータ２３を介して負極板２２に対向するように配置することが好ましい。
【００２８】
なお、リチウム極２４１およびリチウム極集電体２４２は、図２に示す形態に限定されない。例えば、特に図示しないが、（１）最上段の正極板２１の上にさらに負極板２２を設けて当該負極板２２の上にリチウム極２４１およびリチウム極集電体２４２をさらに追加した形態、（２）電極ユニット２０の中央領域の２つの負極板２２，２２の間にリチウム極２４１を追加した形態としてもよい。
【００２９】
正極集電体２１１の一形態例としては、長方形状の基板部２１１１と、基板部２１１１の一方の短辺の中央から当該短辺に対して直交する方向に延びる延長部２１１２とを備えている。基板部２１１１の角部は円弧状に形成されている。延長部２１１２は、平面視にて長方形状に形成されており、延長部２１１２の長辺は、前記基板部２１１１の短辺に対して平行になっている。
【００３０】
図２に示すように、延長部２１１２は、基端側において蓄電デバイス１０の厚さ方向の中心に向かって折り曲げられ、さらに先端側において蓄電デバイス１０の外周側に向かって折り曲げられている。延長部２１１２の先端部には、基板部２１１１に対して平行な長方形状の接合部２１１２Ａが形成されており、複数の延長部２１１２の接合部２１１２Ａが、相互に重ね合わされて溶接等により接合されている。
【００３１】
負極集電体２２１は、長方形状の基板部２２１１と、基板部２２１１の一方の短辺の中央から当該短辺に対して直交する方向に延びる延長部２２１２とを備えている。基板部２２１１の角部は円弧状に形成されている。延長部２２１２は、平面視にて長方形状に形成されており、延長部２２１２の長辺は、前記基板部２２１１の短辺に対して平行になっている。
【００３２】
延長部２２１２の一形態例としては、基端側において蓄電デバイス１０の厚さ方向の中心に向かって折り曲げられ、さらに先端側において蓄電デバイス１０の外周側に向かって折り曲げられている。延長部２２１２の先端部には、基板部２２１１に対して平行な長方形状の接合部２２１２Ａが形成されており、複数の延長部２２１２の接合部２２１２Ａが、相互に重ね合わされて溶接等により接合されている。
【００３３】
即ち、電極ユニット２０は、基板部２１１１、２２１１およびセパレータ２３が積層されてなる電極積層体２０Ａと、長方形状の接合部２１１２Ａが積層されてなる正極集電積層体２０Ｂと、長方形状の接合部２２１２Ａが積層されてなる負極集電積層体２０Ｃとを備える。
【００３４】
外装体３０は、上側部材３１と下側部材３２とを備えている。上側部材３１は、長方形状のラミネートフィルムであり、平面視にて長方形状の凹部３１１を中央に有している。下側部材３２も同様に、長方形状のラミネートフィルムであり、平面視にて長方形状の凹部３２１を中央に有している。凹部３１１，３２１は、上下に重なり合っており、電極積層体２０Ａを収容可能な空間を形成している。なお、上側部材３１および下側部材３２のうち、一方は凹部３１１を有し、他方は凹部を有さずに平坦状であっても良い。この場合、上側部材３１と下側部材３２の両方が凹部３１１を有している場合に比べ、電極積層体２０Ａを収容する空間は約半分となるが、凹部の深さ設計により必要な空間を確保できるよう調整可能である。
【００３５】
上側部材３１および下側部材３２を構成するラミネートフィルムは、図２の拡大図に示すように、アルミニウム等から構成される金属箔３０Ａと、当該金属箔３０Ａの両面にそれぞれ積層された第１および第２の樹脂フィルム３０Ｂ，３０Ｃとを備えており、適度な可撓性を有している。金属箔３０Ａの内面に積層された第１の樹脂フィルム３０Ｂは、耐電解液性および熱融着性に優れた樹脂材料、例えばポリプロピレン等から構成されている。一方、金属箔３０Ａの外面に積層された第２の樹脂フィルム３０Ｃは、強度と電気絶縁性とに優れた樹脂材料、例えばナイロン等から構成されている。なお、第１および第２の樹脂フィルム３０Ｂ，３０Ｃはそれぞれ更に複数層の樹脂材料によって構成されていても構わない。
【００３６】
上側部材３１の外周縁と下側部材３２の外周縁とは、第１の樹脂フィルム３０Ｂが相互に熱融着されることによって接合されている。これにより、外装体３０の全周に亘って、外装体３０を封止する封止部（熱シール部）３３が形成され、電極ユニット２０が密封状態の外装体３０の内部に収容されている。
【００３７】
図１に示すように、封止部３３は、外装体３０の短辺を封止する一対の短辺封止部３３１、３３１と、外装体３０の長辺を封止する一対の長辺封止部３３２、３３３とを備えている。一方の短辺封止部３３１の近傍に正極集電積層体２０Ｂが配され、他方の短辺封止部３３１の近傍に負極集電積層体２０Ｃが配されている。なお、以下の説明では、外装体３０において正極集電積層体２０Ｂが設けられている側を、外装体３０の正極側と称し、外装体３０において負極集電積層体２０Ｃが設けられている側を外装体３０の負極側と称する。
【００３８】
ここで、一方の長辺封止部３３３の剥離強度は、他方の長辺封止部３３２および一対の短辺封止部３３１、３３１の剥離強度と比較して低く設定されている。一方の長辺封止部３３３の剥離強度を、他方の長辺封止部３３２および一対の短辺封止部３３１、３３１の剥離強度よりも低く設定する方法としては、一方の長辺封止部３３３を構成する上下のラミネートフィルムの融着層に電解液を吸着させて一方の長辺封止部３３３の接着力を低下させる方法や、他方の長辺封止部３３２および一対の短辺封止部３３１を機械的に拘束する方法等を例示できる。本実施形態では、前者の方法が採用されている。
【００３９】
正極端子４０は、矩形板状の基材で形成されており、この基材は、アルミニウムを主成分とする金属材料、すなわちアルミニウム又はアルミニウム合金から構成されている。この正極端子４０は、外装体３０の正極側における短辺の中央部に配されている。
【００４０】
図２に示すように、正極端子４０の一端部４０Ａと正極集電積層体２０Ｂとは、相互に重ね合わされて溶接等により接合されている。正極端子４０は、正極集電積層体２０Ｂの上から一方の短辺封止部３３１を構成する上下のラミネートフィルムの間を通って外装体３０の外まで延出している。
【００４１】
負極端子５０は、矩形板状の基材で形成されており、この基材は、銅を主成分とする金属材料から構成されている。銅表面にはニッケル層が被覆されている。この負極端子５０は、外装体３０の負極側における短辺の中央部に配されている。
【００４２】
負極端子５０の一端部５０Ａと負極集電積層体２０Ｃとは、相互に重ね合わされて溶接等により接合されている。負極端子５０は、負極集電積層体２０Ｃの上から他方の短辺封止部３３１を構成する上下のラミネートフィルムの間を通って外装体３０の外まで延出している。
【００４３】
図３は、複数の蓄電デバイス１０から構成される蓄電モジュール１を示す斜視図であり、図４は、蓄電モジュール１が備える支持部材２を示す斜視図であり、図５は、蓄電モジュール１を示す分解斜視図であり、図６は、蓄電モジュール１の等価回路図である。これらの図に示すように、蓄電モジュール１は、相互に積層された複数（本例では１０個）の蓄電デバイス１０と、複数の蓄電デバイス１０を収容する収容体８とを備えている。収容体８は、蓄電デバイス１０を支持する複数（蓄電デバイス１０と同数であり、本例では１０個）の支持部材２と、一対の側板９とを備えている。なお、図３及び図５では、一方の側板９のみ示し、他方の側板９は省略しているが、一対の側板９は、図中における収容体８の前面側と背面側とに設けられている。それぞれの側板９は、積層された複数の支持部材２の図中前面側または背面側に、例えばネジ止め、接着剤の手法で固定されている。あるいは、支持部材２と側板９とが嵌合することによって互いが固定されていてもよい。
【００４４】
複数の蓄電デバイス１０は、下段の蓄電デバイス１０の正極端子４０の接点部４０Ｂと上段の蓄電デバイス１０の負極端子５０の接点部５０Ｂとが重なり合うように積層されている。相互に上下に隣り合う蓄電デバイス１０の間には、電気絶縁材料から構成される板状の支持部材２が介装されている。
【００４５】
支持部材２は、長方形状の板部２Ａと、板部２Ａの一対の短辺に設けられた受台部２Ｂと、受台部２Ｂの中央部に設けられた端子台部２Ｃとを備えている。板部２Ａには、蓄電デバイス１０の厚さ方向に加わった負荷を緩和するための応力緩和構造（バネ、クッション）が設けられていてもよい。一対の受台部２Ｂは、板部２Ａの一対の短辺から上側に突出しており、上側の支持部材２を板部２Ａとの間に蓄電デバイス１０を収容可能な空間が出来るように支持する。また、この受台部２Ｂの長手方向両端（支持部材２の隅部に相当）には貫通孔２Ｄが形成されている。複数の支持部材２が、四隅の貫通孔２Ｄに挿通されたボルト３により締結されて一体化されることで、複数の支持部材２の積層体である収容体８が構成されている。なお、複数の支持部材２は、ボルト３を用いて締結して一体化するのではなく、複数の支持部材２の積層体全体を上下からクランプすることで一体化されてもよい。
【００４６】
端子台部２Ｃは、受台部２Ｂの中央部に形成された凹部に設けられている。この端子台部２Ｃの高さ位置は、板部２Ａの上面より高くなっている。端子台部２Ｃには、上面から側面に跨って端子部５が設けられている。この端子部５の上面は、蓄電デバイス１０の接点部４０Ｂ、５０Ｂに対応する位置に設けられている。また、端子部５の上面にはネジ孔５Ａが形成されている。正極端子４０の接点部４０Ｂは、ネジ孔４０Ｃに挿通されたネジ４により一方の端子部５の上面に固定されている。また、負極端子５０の接点部５０Ｂは、ネジ孔５０Ｃに挿通されたネジ４により他方の端子部５の上面に固定されている。
【００４７】
端子部５の側面にはネジ孔５Ｂが形成されている。正極端子４０の接点部４０Ｂが固定された上段の端子部５と、負極端子５０の接点部５０Ｂが固定された下段の端子部５とが、接続金具７を介して接続されている。そして、１０個の蓄電デバイス１０のうち最上段の蓄電デバイス１０の正極端子４０が、蓄電モジュール１の正極入出力端子を構成している。一方、１０個の蓄電デバイス１０のうち最下段の蓄電デバイス１０の負極端子５０が、蓄電モジュール１の負極入出力端子を構成している。
【００４８】
板部２Ａの一方の長辺には、ガス流路画成部６０が設けられている。このガス流路画成部６０は、板部２Ａの一方の長辺の近傍に当該長辺に沿って延びるように形成された壁部６１と、壁部６１の上端から当該長辺の上まで延びた天板部６２とを備えている。壁部６１は、板部２Ａの上面から突出している。また、天板部６２の上面と受台部２Ｂの上面とは同じ高さであり連続している。
【００４９】
ここで、板部２Ａと天板部６２との間には、開口が形成されているところ、この開口が、側板９により閉塞されている。これにより、板部２Ａと壁部６１と天板部６２と側板９と後述の仕切り部６１０とにより囲まれたガス流路６３が形成されている。
【００５０】
図７は、ガス流路画成部６０および一方の長辺封止部３３３を示す断面図である。図４、図５、及び図７に示すように、壁部６１の高さ方向中央部には、スリット６４が形成されている。このスリット６４は、壁部６１の長手方向（幅方向）の一端部から他端部まで延びており、壁部６１を上下に二分している。
【００５１】
ガス流路画成部６０は、スリット６４を閉塞するように設けられた仕切り部６１０を備える。この仕切り部６１０は、スリット６４の上側の領域を閉塞する上側のシール部材６１１と、スリット６４の下側の領域を閉塞する下側のシール部材６１２とを備え、シール部材６１１とシール部材６１２とによって、蓄電デバイス１０が収容される領域とガス流路画成部６０とが仕切られている。上側のシール部材６１１の上端部は、壁部６１のガス流路６３側の面に固定され、下側のシール部材６１２の下端部は、壁部６１のガス流路６３側の面に固定されている。上側のシール部材６１１および下側のシール部材６１２は、ネジ止め、接着剤などの手法により壁部６１のガス流路６３側の面に固定されている。または、シール部材６１１、６１２を容易に交換可能とするために、ネジで固定された押さえ板によってシール部材６１１、シール部材６１２を固定してもよい。
【００５２】
ここで、上側のシール部材６１１と下側のシール部材６１２とは、可撓性を有するゴム材料や樹脂材料等で構成されており、スリット６４からガス流路画成部６０の内側に撓み、上側のシール部材６１１の下端部と下側のシール部材６１２の上端部とが当接した状態となっている。そして、一方の長辺封止部３３３が、上側のシール部材６１１と下側のシール部材６１２との間からガス流路画成部６０内に挿入されている。この一方の長辺封止部３３３は、他方の長辺封止部３３２および一対の短辺封止部３３１、３３１よりも剥離強度が低い封止部である。
【００５３】
以上説明したように、本実施形態に係る蓄電モジュール１では、封止部３３の一方の長辺封止部３３３に、封止部３３の他部位と比較して外装体３０の内圧により開放され易い易開放部が形成されており、蓄電モジュール１を収容する収容体８には、長辺封止部３３３が外装体３０の内圧により開放された場合に放出ガスの流路となるガス流路６３を画成するガス流路画成部６０が設けられている。ここで、ガス流路画成部６０には、一方の長辺封止部３３３が挿通されたスリット６４が形成されているところ、このスリット６４を塞ぐように設けられた可撓性の上下のシール部材６１１、６１２が長辺封止部３３３に撓んだ状態で当接している。これにより、スリット６４の気密性を効果的に高めることができ、長辺封止部３３３が外装体３０の内圧により開放された場合に長辺封止部３３３からガス流路６３に放出されたガスが、スリット６４から蓄電デバイス１０側に逆流することを抑制できる。また、上下のシール部材６１１、６１２が可撓性部材で構成されていることにより、上下のシール部材６１１、６１２による長辺封止部３３３に対する拘束力が過剰に高まることを防止することが可能になり、必要に応じて、長辺封止部３３３を外装体３０の内圧により開放させることが可能になる。ガス流路画成部６０には、蓄電デバイス１０から放出されてガス流路画成部６０に流入したガスを蓄電モジュール１の外部に放出するためのガス排出部（不図示）が形成されている。ガス排出部は、ガス流路画成部６０の任意の位置に形成することができる。
【００５４】
ここで、封止部３３の他部位を機械的に拘束し、一方の長辺封止部３３３のみ、機械的な拘束をしないような構成を取ることにより、一方の長辺封止部３３３を、封止部３３の他部位と比較して外装体３０の内圧により開放され易くすることが可能である。しかしながら、かかる構成を採用する場合には、収容体８の構成が複雑化する。それに対して、本実施形態に係る蓄電モジュール１では、一方の長辺封止部３３３の剥離強度が、封止部３３の他部位の剥離強度と比較して低いことにより、一方の長辺封止部３３３が、封止部３３の他部位と比較して外装体３０の内圧により開放され易くなっている。これにより、収容体８の構成を複雑化させることなく、一方の長辺封止部３３３を、封止部３３の他部位に優先して外装体３０の内圧により開放させることができる。
【００５５】
また、本実施形態に係る蓄電モジュール１では、収容体８が、複数の蓄電デバイス１０を積層した状態で支持する複数の支持部材２を備えており、それぞれの支持部材２が、ガス流路画成部６０と仕切り部６１０とを備えている。即ち、蓄電デバイス１０と支持部材２とガス流路画成部と仕切り部６１０とを、１ユニットとして構成している。これにより、蓄電モジュール１の要求出力に応じて蓄電デバイス１０の数を増減する際に、ユニット数を増減することで、ガス流路画成部６０と仕切り部６１０との増減についても対応できる。
【００５６】
また、本実施形態に係る蓄電モジュール１では、仕切り部６１０が、一方の長辺封止部３３３を挟むように設けられた上下一対のシール部材６１１、６１２により構成されている。これにより、スリット６４に挿通される長辺封止部３３３とスリットの上辺および下辺との間に間隔が空いている場合や長辺封止部３３３が板部２Ａの上面から浮いている場合等に、上下一対のシール部材６１１、６１２によりスリット６４を塞ぐことができる。また、上下一対のシール部材６１１、６１２が撓んで開くことにより、一方の長辺封止部３３３が外装体３０の内圧により開放されることが許容される。
【００５７】
図８は、他の実施形態に係る仕切り部６２０を示す斜視図である。この図に示すように、仕切り部６２０は、スリット６４の上側の領域を閉塞する上側のシール部材６２１と、スリット６４の下側の領域を閉塞する下側のシール部材６２２とを備える。上側のシール部材６２１の上端部は、壁部６１のガス流路６３側の面に固定され、下側のシール部材６２２の下端部は、壁部６１のガス流路６３側の面に固定されている。上側のシール部材６２１と下側のシール部材６２２とは、可撓性を有するゴム材料や樹脂材料等で構成されている。
【００５８】
ここで、上側のシール部材６２１の下端部には切欠き６２１Ａが形成され、下側のシール部材６２２の上端部には切欠き６２２Ａが形成されている。切欠き６２１Ａは、上側のシール部材６２１の下端の両端部には形成されておらず、切欠き６２２Ａは、下側のシール部材６２２の上端の両端部には形成されていない。これにより、上側のシール部材６２１と下側のシール部材６２２とは、スリット６４からガス流路画成部６０の内側に撓み、上側のシール部材６２１の下端の両端部と下側のシール部材６２２の上端の両端部とが当接した状態となっている。そして、上側の切欠き６２１Ａと下側の切欠き６２２Ａとにより形成されるスリット６２３の幅（高さ方向の寸法）は、長辺封止部３３３の厚みと同等であり、スリット６２３の長さ（横方向の寸法）は、長辺封止部３３３の長さと同等である。長辺封止部３３３は、このスリット６２３からガス流路画成部６０の内部に挿入されている。
【００５９】
本実施形態に係る仕切り部６２０では、上側のシール部材６２１の下端部と下側のシール部材６２２の上端部とに上下の切欠き６２１Ａ、６２２Ａからなるスリット６２３が形成され、このスリット６２３に一方の長辺封止部３３３が挿通されている。これにより、上下のシール部材６２１、６２２による一方の長辺封止部３３３の拘束力を抑制できるので、必要に応じて、一方の長辺封止部３３３を外装体３０の内圧により開放させることをより一層確実に実現できる。
【００６０】
図９は、他の実施形態に係るガス流路画成部７０を示す断面図である。この図に示すように、本実施形態に係るガス流路画成部７０は、板部２Ａの一方の長辺の近傍に当該長辺に沿って延びるように形成された壁部７１と、壁部７１の上端から当該長辺の上まで延びた天板部７２とを備えている。天板部７２の上面と受台部２Ｂの上面とは同じ高さであり連続している。また、壁部７１は、天板部７２の下端から下方に突出している。
【００６１】
本実施形態の外装体１３０は、凹部３１１を有する上側部材３１と、平坦な下側部材１３２とにより構成されており、封止部３３から上側のみに突出している。そのため、封止部３３は、板部２Ａの上面に当接している。
【００６２】
板部２Ａと天板部７２との間には、開口が形成されているところ、この開口が、側板９により閉塞されている。これにより、板部２Ａと壁部７１と天板部７２と側板９と後述の仕切り部７１０とにより囲まれたガス流路７３が形成されている。壁部７１と板部２Ａとの間には、スリット７４が形成されている。このスリット７４は、壁部７１の長手方向（幅方向）の一端部から他端部まで延びている。ガス流路画成部７０は、スリット７４を閉塞するように設けられた仕切り部７１０を備える。この仕切り部７１０の上端部は、壁部７１のガス流路７３側の面に固定されている。
【００６３】
ここで、仕切り部７１０は、可撓性を有するゴム材料や樹脂材料等で構成されており、スリット７４からガス流路画成部７０の内側に撓んだ状態となっている。そして、一方の長辺封止部３３３が、仕切り部７１０と板部２Ａの上面との間からガス流路画成部７０内に挿入されている。
【００６４】
以上説明したように、本実施形態に係るガス流路画成部７０では、一つの可撓性部材からなる仕切り部７１０が一方の長辺封止部３３３をスリット７４の下縁部（板部２Ａの上面）に押圧している。これにより、スリット７４に挿通される一方の長辺封止部３３３とスリットの上辺との間に間隔が空き、長辺封止部３３３とスリットの下辺との間に間隔が無い構成において、一つの仕切り部７１０によりスリット７４を塞ぐことができる。
【００６５】
図１０は、他の実施形態に係るガス流路画成部８０を示す断面図である。この図に示すように、本実施形態に係るガス流路画成部８０は、蓄電デバイス１０が載置された板部２Ａの上面の一方の長辺の近傍に当該長辺に沿って延びるように形成された下側の壁部８１Ａと、蓄電デバイス１０の上側の板部２Ａの下面の一方の長辺の近傍に当該長辺に沿って延びるように形成された上側の壁部８１Ｂと、下側の壁部８１Ａの上端から当該長辺の上まで延びた底板部８２Ａと、上側の壁部８１Ｂの下端から当該長辺の上まで延びた天板部８２Ｂとを備えている。下側の壁部８１Ａは、下側の板部２Ａの上面から上方に突出し、上側の壁部８１Ｂは、上側の板部２Ａの下面から下方に突出している。
【００６６】
底板部８２Ａと天板部８２Ｂとの間には、開口が形成されているところ、この開口が、側板９により閉塞されている。これにより、板部２Ａと下側の壁部８１Ａと底板部８２Ａと側板９と天板部８２Ｂと上側の壁部８１Ｂと後述の仕切り部８１０とにより囲まれたガス流路８３が形成されている。
【００６７】
下側の壁部８１Ａと上側の壁部８１Ｂとの間にはスリット８４が形成されている。このスリット８４は、上下の壁部８１Ａ、８１Ｂの長手方向（幅方向）の一端部から他端部まで延びている。ガス流路画成部８０は、スリット８４を閉塞するように設けられた仕切り部８１０を備える。この仕切り部８１０は、スリット８４の上側の領域を閉塞する上側のシール部材８１１と、スリット８４の下側の領域を閉塞する下側のシール部材８１２とを備える。上側のシール部材８１１の上端部は、上側の壁部８１Ｂのガス流路８３側の面に固定され、下側のシール部材８１２の下端部は、下側の壁部８１Ａのガス流路８３側の面に固定されている。
【００６８】
ここで、上側のシール部材８１１と下側のシール部材８１２とは、可撓性を有するゴム材料や樹脂材料等で構成されており、スリット８４からガス流路画成部８０の内側に撓み、上側のシール部材８１１の下端部と下側のシール部材８１２の上端部とが当接した状態となっている。そして、一方の長辺封止部３３３が、上側のシール部材８１１と下側のシール部材８１２との間からガス流路画成部８０内に挿入されている。
【００６９】
図１１は、他の実施形態に係る蓄電モジュール１０００を示す斜視図である。この図に示すように、本実施形態の蓄電モジュール１０００は、相互に積層された複数（本例では１０個）の蓄電デバイス１０と、複数の蓄電デバイス１０を収容する収容体１１００とを備えている。収容体１１００は、蓄電デバイス１０を支持する複数（蓄電デバイス１０と同数であり、本例では１０個）の支持部材１２００と、側板９（図示省略）と、ガス流路ユニット１３００とを備えている。不図示の側板９は、収容体１１００の図中での前面側にネジ止めされ、ガス流路ユニット１３００は、収容体１１００の図中での背面側にネジ止めされている。
【００７０】
本実施形態の収容体１１００では、それぞれの支持部材１２００には、ガス流路が形成されておらず、ガス流路ユニット１３００に、ガス流路が形成されている。このガス流路ユニット１３００は、薄型の筐体１３１０と、複数（蓄電デバイス１０と同数であり、本例では１０個）の仕切り部１３２０とを備える。筐体１３１０は、積層された複数の支持部材１２００の一対の受台部２Ｂの側面にネジ止めされている。なお、筐体１３１０には、ネジ孔とガス流路とを隔てる隔壁（図示省略）を備えている。
【００７１】
筐体１３１０の支持部材１２００側の主面１３１１には、複数のスリット１３１２が高さ方向に所定間隔で設けられている。それぞれのスリット１３１２は、それぞれの蓄電デバイス１０の封止部３３の高さに配されている。それぞれの仕切り部１３２０は、スリット１３１２の上側の領域を閉塞する上側のシール部材１３２１と、スリット６４の下側の領域を閉塞する下側のシール部材１３２２とを備える。上側のシール部材１３２１の上端部は、主面１３１１の裏面に固定され、下側のシール部材１３２２の下端部は、主面１３１１の裏面に固定されている。
【００７２】
上側のシール部材１３２１と下側のシール部材１３２２とは、可撓性を有するゴム材料や樹脂材料等で構成されており、スリット１３１２から筐体１３１０の内側に撓み、上側のシール部材１３２１の下端部と下側のシール部材１３２２の上端部とが当接した状態となっている。そして、一方の長辺封止部３３３が、上側のシール部材１３２１と下側のシール部材１３２２との間から筐体１３１０内に挿入されている。
【００７３】
以上説明したように、本実施形態に係る蓄電モジュール１０００では、ガス流路、複数のスリット１３１２および複数の仕切り部１３２０を、支持部材１２００とは別体のユニットとしたことにより、支持部材１２００の構成を単純化できるので、支持部材１２００の製作数が増加した場合にコストの増加を低減できる。
【００７４】
上述の実施形態における「蓄電モジュール１」および「蓄電モジュール１０００」は本発明における「蓄電モジュール」の一例に相当し、上述の実施形態における「蓄電デバイス１０」は本発明における「蓄電デバイス」の一例に相当し、上述の実施形態における「収容体８」および「収容体１１００」は本発明における収容体の一例に相当する。
【００７５】
上述の実施形態における「電極ユニット２０」は本発明における「電極ユニット」の一例に相当し、上述の実施形態における「正極板２１」は本発明における「正極板」の一例に相当し、上述の実施形態における「負極板２２」は本発明における「負極板」の一例に相当し、上述の実施形態における「セパレータ２３」は本発明における「絶縁層」の一例に相当する。
【００７６】
上述の実施形態における「外装体３０」および「外装体１３０」は本発明における「外装体」の一例に相当し、上述の実施形態における「上側部材３１」および「下側部材３２」は本発明における「外装フィルム」の一例に相当し、上述の実施形態における「封止部３３」は本発明における「封止部」の一例に相当し、上述の実施形態における「長辺封止部３３３」は本発明における「封止部の一辺」および「易開放部」の一例に相当する。
【００７７】
上述の実施形態における「ガス流路画成部６０」、「ガス流路画成部７０」、「ガス流路画成部８０」および「筐体１３１０」は本発明における「ガス流路画成部」の一例に相当し、上述の実施形態における「スリット６４」、「スリット７４」、「スリット８４」および「スリット１３１２」は本発明における「スリット」の一例に相当し、上述の実施形態における「仕切り部６１０」、「仕切り部７１０」、「仕切り部８１０」および「仕切り部１３２０」は本発明における「仕切り部」の一例に相当する。
【００７８】
上述の実施形態における「上側のシール部材６１１」および「下側のシール部材６１２」、上述の実施形態における「上側のシール部材８１１」および「下側のシール部材８１２」、上述の実施形態における「上側のシール部材１３２１」および「下側のシール部材１３２２」は本発明における「一対のシール部材」に相当する。
【００７９】
上述の実施形態における「支持部材２」および「支持部材１２００」は本発明における「支持部材」の一例に相当し、上述の実施形態における「ガス流路ユニット１３００」は本発明における「ガス流路ユニット」の一例に相当する。
【００８０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。例えば、上述の実施形態では、リチウムイオンキャパシタを例に挙げて本発明を説明したが、本発明は、リチウムイオン電池等の他の蓄電デバイスおよび蓄電モジュールにも適用できる。
【００８１】
また、上述の実施形態では、一方の長辺封止部３３３の全体を易開放部としたが、一方の長辺封止部３３３の少なくとも一部を易開放部とすればよい。また、長辺封止部３３３に易開放部を形成することは必須ではなく、短辺封止部３３１に端子が存在しない場合には、短辺封止部３３１に易開放部を形成してもよい。
【００８２】
また、上述の実施形態では、１個の蓄電デバイス１０に対して１個の支持部材２を設けたが、例えば、１個の支持部材２の板部２Ａの上面と下面とにそれぞれ１個の蓄電デバイス１０を固定する等、蓄電モジュール１の構成は適宜変更可能である。また、蓄電モジュール１が複数の蓄電デバイス１０を備えることは必須ではなく、一つの蓄電デバイス１０を備えてもよい。
【００８３】
さらに、上述の実施形態では、２枚の外装フィルム（上側部材３１と下側部材３２）を電極ユニット２０を挟んだ状態で相互に重ね合せ、これらの２枚の外装フィルムの相互に重なり合った外周縁部を相互に接合した。しかしながら、１枚の外装フィルムを半分に折り曲げてその１枚の外装フィルムの相互に重なり合った部分の折り曲げ線を除く外周縁部を相互に接合してもよい。
【符号の説明】
【００８４】
１…蓄電モジュール
８…収容体
２…支持部材
２Ａ…板部
２Ｂ…受台部
２Ｃ…端子台部
２Ｄ…貫通孔
３…ボルト
４…ネジ
５…端子部
５Ａ…ネジ孔
５Ｂ…ネジ孔
７…接続金具
９…側板
１０…蓄電デバイス
２０…電極ユニット
２０Ａ…電極積層体
２０Ｂ…正極集電積層体
２０Ｃ…負極集電積層体
２１…正極板
２１１…正極集電体
２１１１…基板部
２１１２…延長部
２１１２Ａ…接合部
２１２…正極活物質層
２２…負極板
２２１…負極集電体
２２１１…基板部
２２１２…延長部
２２１２Ａ…接合部
２２２…負極活物質層
２３…セパレータ
２４１…リチウム極
２４２…リチウム極集電体
３０…外装体
３０Ａ…金属箔
３０Ｂ…第１の樹脂フィルム
３０Ｃ…第２の樹脂フィルム
３１…上側部材
３１１…凹部
３２…下側部材
３２１…凹部
３３…封止部
３３１…短辺封止部
３３２…長辺封止部
３３３…長辺封止部
１３０…外装体
１３２…下側部材
４０…正極端子
４０Ａ…一端部
４０Ｂ…接点部
４０Ｃ…ネジ孔
５０…負極端子
５０Ａ…一端部
５０Ｂ…接点部
５０Ｃ…ネジ孔
６０…ガス流路画成部
６１…壁部
６２…天板部
６３…ガス流路
６４…スリット
６１０…仕切り部
６１１…上側のシール部材
６１２…下側のシール部材
７０…ガス流路画成部
７１…壁部
７２…天板部
７３…ガス流路
７４…スリット
７１０…仕切り部
８０…ガス流路画成部
８１Ａ…下側の壁部
８１Ｂ…上側の壁部
８２Ａ…底板部
８２Ｂ…天板部
８３…ガス流路
８４…スリット
８１０…仕切り部
８１１…上側のシール部材
８１２…下側のシール部材
１０００…蓄電モジュール
１１００…収容体
１２００…支持部材
１３００…ガス流路ユニット
１３１０…筐体
１３１１…主面
１３１２…スリット
１３２０…仕切り部
１３２１…上側のシール部材
１３２２…下側のシール部材
【図１】
2018195745.tif 000003
【図２】
2018195745.tif 000004
【図３】
2018195745.tif 000005
【図４】
2018195745.tif 000006
【図５】
2018195745.tif 000007
【図６】
2018195745.tif 000008
【図７】
2018195745.tif 000009
【図８】
2018195745.tif 000010
【図９】
2018195745.tif 000011
【図１０】
2018195745.tif 000012
【図１１】
2018195745.tif 000013